(57)【要約】【課題】ウインドガラスの洗浄過程でウインドガラス、ウインドウォッシャノズルの噴射口とその周辺、ワイパーブレードの表面等に光触媒を供給・固定でき、ウインドガラス等の表面に付着した有機物、アンモニア・硫化水素等の悪臭成分、硫黄酸化物、窒素酸化物等を分解し、親水性、防曇性、防汚性等を付与し、ウインドウォッシャノズルの目詰まり、ワイパーブレードの磨耗を防止する。【解決手段】水とアルコールと界面活性剤と光触媒粒子とを混合した液状体を自動車用ウインドウォッシャ液とし、該ウォッシャ液をウォッシャ装置１００のウォッシャタンク１０１内に配備し、ウインドウォッシャノズル２よりウインドガラス面へ噴射する構成。【選択図】　図１
2004058855.tif 000002
【特許請求の範囲】
【請求項１】
光触媒を含んだ液状体を自動車に備えたウォッシャ装置により噴射し、自動車のウインドガラス、ヘッドランプのレンズカバーの少なくとも一方の表面に光触媒を配設するようにしたことを特徴とする光触媒の塗布方法。
【請求項２】
液状体が、水とアルコールと光触媒粒子とを混合してなることを特徴とする請求項１記載の光触媒の塗布方法。
【請求項３】
液状体が、水とアルコールの混合液に界面活性剤を溶解させるとともに、光触媒粒子を分散させてなることを特徴とする請求項１記載の光触媒の塗布方法。
【請求項４】
光触媒に分解されない多孔質部材で光触媒粒子を被覆したことを特徴とする請求項１〜３のいずれか一項に記載の光触媒の塗布方法。
【請求項５】
光触媒を含んだ液状体を自動車に備えたウォッシャ装置により噴射し、ウォッシャノズルの噴射口とその周辺に光触媒を配設することにより前記ウォッシャノズルの噴射孔が目詰まりするのを防止するようにしたことを特徴とする自動車に備えたウォッシャノズルの目詰まり防止方法。
【発明の詳細な説明】
【０００１】
【発明が属する技術分野】
本発明は、自動車のウインドガラス等への光触媒の塗布方法と、自動車に備えたウォッシャノズルの目詰まりを防止する方法に関する。
【０００２】
【従来の技術】
自動車のウインドガラスは、泥、塵埃、スモッグ、虫の死骸、煤煙、排気ガス中に含まれる水に不溶の成分、アスファルト成分、洗車ワックス等によって汚染される。
また、自動車に備えたウインドウォッシャノズルも前記汚染物質によって噴射孔の目詰まりを生じる場合がある。
ウインドガラスに付着した汚染物質の洗浄は、アルコールを主成分とし、水、界面活性剤、防錆剤等を混合したウォッシャ液をウインドウォッシャノズルからウインドガラス面へ噴射し、ワイパー装置を左右に駆動して行われる。
【０００３】
ウォッシャ液として例えば、アルキルグルコシドを０．１〜３０重量％含有するものが特開平１０−１４７７９４号公報により提案されている。
界面活性剤と光触媒を含有する洗浄剤として特開２００２−０１２８９１号公報、光触媒、シリカ、セリウム塩類成分等を主成分とする親水性皮膜組成物として特開２００２−１６７５２５号公報等が提案されている。
ウインドガラスに親水性、防曇性、防汚性を付与するものとして光触媒膜をウインドガラスに配設する構成が特開平０９−２２７１６２号公報、特開２００１−０１９４９４号公報等により提案されている。
【０００４】
自動車に装備されるウインドウォッシャ装置について簡単に説明すると、図１に示すように、自動車１の車体としてのボンネット１ａ上には左右一対のフラットスプレー式のウインドウォッシャノズル２が、ウインドガラスとしてのフロントガラス３の左右半面ずつをそれぞれ指向する状態で装着されている。ウインドウォッシャノズル２は車体前部に装備されたウォッシャ装置１００の構成部品をなす。
ウォッシャ装置１００は、洗浄液（ウインドウォッシャ液）を溜めておくためのウォッシャタンク１０１と、ウォッシャタンク１０１内の洗浄液Ｓをホース１０２を通して所定の圧力でウインドウォッシャノズル２に送るためのウォッシャポンプ１０３とを備えている。
【０００５】
図２に示すように、ウインドウォッシャノズル２はボンネット１ａに取付けられた樹脂製のノズル本体４と、ノズル本体４に形成された流路５の出口部分の凹部４ａに嵌め込まれた樹脂製のジェット６とからなる。
流路５は洗浄液の通り道となり、凹部４ａは内周面が球面に形成されている。ジェット６の基部は凹部４ａに嵌合できるように外周面が球面状に形成されている。このため、ジェット６は凹部４ａに圧入された嵌合状態でその軸心回りに回動可能に取付けられている。符号７は洗浄液の流通路、１０は洗浄液の噴射口を示す。
【０００６】
【発明が解決しようとする課題】
しかし、特開２００２−０１２８９１号公報、特開２００２−１６７５２５号公報、特開平０９−２２７１６２号公報、特開２００１−０１９４９４号公報はいずれもウインドウォッシャノズルからウォッシャ液を噴射し、ウインドガラスへ光触媒を付与する思想、ならびにウインドウォッシャノズルの噴射口とその周辺に光触媒を配設し、ウインドウォッシャノズルの目詰まりを防止する思想を開示していない。特開２００２−１６７５２５号公報では基材表面の汚れを落すために洗浄剤をスポンジ等で擦るなど機械的な力で除去する思想を記載している。
【０００７】
本発明は、ウインドウォッシャノズルから光触媒を含んだウォッシャ液を噴射し、ワイパー装置によるウインドガラスの洗浄と併せ、ウインドガラスに光触媒を自動塗布し、ウインドガラスに親水性、防曇性、防汚性等を付与することを目的とする。また、ウインドウォッシャノズルから光触媒を含んだウォッシャ液を噴射し、ウインドウォッシャノズルの噴射口とその周辺に光触媒を配設することにより、ウインドウォッシャノズルの噴射孔が目詰まりするのを防止することを目的とする。
【０００８】
【課題を解決するための手段】
上記課題を解決するために本発明に用いるウォッシャ液は、一般的なウインドウォッシャ液に多孔質部材で被覆した二酸化チタン粒子（ＴｉＯ２）等の光触媒を分散させる構成とした。
ウインドガラスへの光触媒の塗布方法は、前記光触媒を分散させたウォッシャ液をウインドウォッシャノズルから噴射し、ワイパー装置を駆動することによりウインドガラス面に光触媒を自動的に塗布する構成とした。
ウインドウォッシャノズルの目詰まり防止方法は、光触媒を含んだ液状体をウインドウォッシャ装置により噴射し、ウインドウォッシャノズルの噴射口とその周辺に光触媒を配設することにより前記ウインドウォッシャノズルの噴射孔が目詰まりするのを防止する構成とした。
【０００９】
本発明に用いるウインドウォッシャ液は、アルコール（メタノール）を主成分として、水、アルキルグルコシド、界面活性剤（ドデシルベンゼンスルフォン酸ソーダ）等を混合してなる液状体に光触媒粒子を分散させる構成とした。また、必要に応じ防錆剤、シランカップリング剤、チタンカップリング剤等を添加する構成とした。
前記光触媒をアナターゼ結晶形の二酸化チタン粒子とした。二酸化チタンの粒子径は数ｎｍ〜数百ｎｍ、液状体への混入量は数重量％〜２０重量％程度の範囲とした。
【００１０】
光触媒をウインドガラス表面に配設することにより、ガラス表面に付着した各種汚れを分解したり，表面の細菌を殺したり，付着した臭いを取る。即ち、太陽光や蛍光灯など３００ｎｍ〜４００ｎｍの近紫外線を受けた光触媒は活性化して有機物、硫黄酸化物、窒素酸化物、塩素化合物等を酸化し分解する。また、親水性も付与できる。その結果、親油性の汚染物質が付着しにくくなり、雨や放水、ウォッシャ液等によって容易に除去できる。同様に、ウインドウォッシャノズルの噴射口とその周辺に配設した光触媒は、噴射孔の目詰まりを防止する。
【００１１】
なお、二酸化チタンはアナターゼ型のものが好ましいが、銅、銀、白金、その他の金属でメタライズされたルチル型二酸化チタンとしてもよい。
また、ＷＯ２，Ｃｄｓ，ＣｄＳｅ，ＳｒＴｉＯ２，ＭｏＳ２のような半導体で光触媒を形成するようにしてもよい。勿論、可視光応答型酸化チタン光触媒であってもよい。
さらに、ソーダライムガラスからナトリウムイオンが光触媒に拡散するのを防止するため、光触媒に不活性な（分解されない）アルミナ、シリカ、アパタイト、フィロケイ酸塩、スメクタイト等の多孔質膜で二酸化チタン粒子を覆い、ウォッシャ液に分散させる構成としてもよい。
さらに、光触媒と吸着部材（細菌・ウイルス等を吸収し、セラミックスのアパタイト、ゼイライト、セピオライト等からなる。）とを併用する構成、光触媒粒子の一部を吸着部材で包み込む等任意の構成としてよい。
【００１２】
【発明の実施の形態】
本発明における第１の発明は、光触媒を含んだ液状体（ウォッシャ液）を自動車に備えたウォッシャ装置により噴射し、自動車のウインドガラスまたは自動車用ヘッドランプのレンズカバーに光触媒を塗布することを特徴とする光触媒の塗布方法としたもので、ウインドガラスまたはレンズカバーの洗浄過程で光触媒を供給でき、ウインドガラスまたはレンズカバーに親水性、防曇性、防汚性を付与でき、安全運転に寄与する。
本発明における第２の発明は、水とアルコールの混合液に界面活性剤を溶解させるとともに、光触媒粒子を分散させた自動車用ウインドウォッシャ液を用いることを特徴とする第１の発明に記載の光触媒の塗布方法としたもので、ウインドガラス等の洗浄過程でウインドガラス等に光触媒を供給でき、ウインドガラス等に親水性、防曇性、防汚性を付与できる。また、安全運転に寄与する。
本発明における第３の発明は、自動車用ウインドウォッシャ液に混入する光触媒粒子を、光触媒に分解されない多孔質部材で被覆したことを特徴とする第１〜第２の発明のいずれかに記載の光触媒の塗布方法としたもので、ウインドガラス等の洗浄過程でウインドガラス等に光触媒を供給でき、ウインドガラス等に親水性、防曇性、防汚性を付与できる。また、安全運転に寄与する。さらに、ソーダライムガラスからナトリウムイオンが光触媒に拡散するのを防止する。
本発明における第４の発明は、光触媒を含んだ液状体を自動車に備えたウォッシャ装置により噴射し、ウォッシャノズルの噴射口とその周辺に光触媒を配設することにより前記ウォッシャノズルの噴射孔が目詰まりするのを防止するようにしたことを特徴とする自動車に備えたウォッシャノズルの目詰まり防止方法としたもので、ウォッシャ液の正常な噴射を可能にし、安全運転に寄与する。
【００１３】
【実施例】
以下、本発明の実施例に用いるウインドウォッシャ液と、ウインドガラス等への光触媒の塗布方法について説明する。
【００１４】
（実施例１）
本発明に用いるウインドウォッシャ液は、Ｃ２Ｈ２ｎ＋１Ｏ（Ｃ６Ｈ１０Ｏ５）ｘＨ（但しｎ＝８〜１６、１＜ｘ＜２）で表されるアルキルグルコシド２重量％、メタノール２０．０重量％、界面活性剤のドデシルベンゼンスルフォン酸ソーダ１．０重量％、グリセリン１．０重量％、イオン交換水７１重量％、二酸化チタン粒子（７ｎｍ〜２００ｎｍ）５重量％を配合した。
これを洗浄液として図１に示すウォッシャ装置１００のウォッシャタンク１０１内に配備し、ウインドウォッシャノズル２よりウインドガラス面へ噴射した。
図３はウインドガラス面に噴射した洗浄液をワイパー装置（図示せず。）により拭き取る過程の模式図を示す。
ワイパー装置は、ワイパーゴムブレードのエッジ部分でガラス面を拭くことにより、水を引き延ばし、薄い均一な水膜を構成する。前記薄い水膜が蒸発することによって視界を確保し、光触媒はガラス面に固定される。同時にウインドウォッシャノズルの噴射口とその周辺、ワイパーゴムブレードにも光触媒が配設される。
【００１５】
その結果、太陽光（紫外線）、蛍光灯を受け光触媒機能を発揮する。即ち、ウインドガラス等に親水性、防曇性、防汚性等を付与できる。また、ウインドウォッシャノズルの目詰まりを防止できウインドウォッシャ液の正常な噴射を可能にする。ワイパーブレードに付着した各種汚染物質を分解してブレードの摩耗を低減できる。その結果、安全運転に寄与する。
【００１６】
（実施例２）
本発明に用いるもう一つのウインドウォッシャ液は、アルキルグルコシド１重量％、メタノール２５．０重量％、イオン交換水７１重量％、二酸化チタン粒子（７ｎｍ〜２００ｎｍ）３重量％を混合した。
このウインドウォッシャ液をウインドウォッシャ装置で噴射することにより、ウインドガラス面と、ウインドウォッシャノズルの噴射口とその周辺、ワイパーゴムブレードに光触媒を配設できる。そして、ウインドガラスやウインドウォッシャノズルに付着した有機物、窒素酸化物、塩素化合物、細菌等を分解する。また、親水性も付与できる。その結果、親油性の汚染物質が付着しにくくなり、雨や放水、ウォッシャ液によって容易に除去できる。ウインドウォッシャノズルの目詰まりも防止する。ワイパーブレードに付着した各種汚染物質を分解してブレードの摩耗を低減できる。
（実施例３）
本発明に用いるもう一つのウインドウォッシャ液は、メタノール２５．０重量％、イオン交換水７０重量％、二酸化チタン粒子（７ｎｍ〜２００ｎｍ）５重量％を混合した。
この場合のウインドウォッシャ液も水、メタノールの蒸発に伴いウインドガラス面と、ウインドウォッシャノズルの噴射口とその周辺、ワイパーゴムブレードに光触媒を配設できる。光触媒はウインドガラスやウインドウォッシャノズルに付着した有機物、窒素酸化物、塩素化合物、細菌等を分解する。また、親水性も付与できる。その結果、親油性の汚染物質が付着しにくくなり、雨や放水、ウォッシャ液によって容易に除去できる。ウインドウォッシャノズルの目詰まりも防止する。ワイパーブレードに付着した各種汚染物質を分解してブレードの摩耗を低減できる。
【００１７】
なお、上記実施例ではウインドガラス等に光触媒を付与する例について述べた。しかし、本発明はヘッドランプのレンズカバー洗浄過程で、同様に光触媒をウォッシャ液に含ませ、噴射することにより、レンズカバーに光触媒を塗布、固定することができる。
また、ウォッシャ液にシランカップリング剤、チタンカップリング剤、防錆剤等を混入すること、光触媒粒子を無機物たとえば多孔質シリカ、多孔質アルミナ、セラミックスのアパタイト等に内包させること等、任意に実施してよいことは言うまでもない。
【００１８】
【発明の効果】
以上のように本発明は、ウインドガラスの洗浄過程でウインドガラスに光触媒を供給でき、ウインドガラスに親水性、防曇性、防汚性、殺菌性等を付与できる。併せて、ウインドウォッシャノズルの流通路、噴射口および噴射口周辺、ワイパーブレードの表面等にも光触媒を塗布でき親水性等を付与する。そして、ウインドウォッシャノズルの噴射孔の目詰まりを防ぎ、ワイパーブレードに付着した各種汚染物質を分解してブレードの摩耗を低減できる。
【図面の簡単な説明】
【図１】自動車の前部側面図
【図２】ウインドウォッシャノズルの側断面図
【図３】ウインドガラスに噴射した洗浄液の拭き取り過程を説明する模式図
【符号の説明】
１　自動車
１ａ　ボンネット
２　ウインドウォッシャノズル
３　フロントガラス
４　ノズル本体
５　流路
６　ジェット
７　流通路
１０　噴射口
１００　ウォッシャ装置
１０１　ウォッシャタンク
１０２　ホース
１０３　ウォッシャポンプ
【図１】
2004058855.tif 000003
【図２】
2004058855.tif 000004
【図３】
2004058855.tif 000005